(57)【特許請求の範囲】
【請求項１】
電気コネクタアセンブリ（１００）であって、
中間壁（１３６）によって分離された第１のレセプタクル（１３２）と第２のレセプタクル（１３４）とを有する本体（１３０）を含むヘッダ（１２０）と、
前記中間壁によって保持される複数のコンタクト（１４０）であって、前記第１のレセプタクル内に位置する第１のピン（１４２）と前記第２のレセプタクル内に位置する第２のピン（１４４）とを有する複数のコンタクト（１４０）と、
前記第１のレセプタクルに受容される第１のプラグ（１１０）であって、当該第１のプラグは、対応するワイヤ（１０６）に接続される複数の端子（１５６）を保持するハウジング（１５０）を含み、前記端子は、前記第１のレセプタクル内で対応する第１のピンと嵌合するソケット（２１０）を有し、前記ソケットは、前記ヘッダによって保持される前記コンタクトによって前記第２のレセプタクルに受容される第２のプラグ（１１２）のソケット（３１０）に電気的に接続されるように構成される第１のプラグ（１１０）を備え、
前記第１のプラグ（１１０）は、前記ハウジング（１５０）の嵌合端（１６２）に結合される独立した二次ロック（１６０）を備え、
前記独立した二次ロックは、少なくとも１つのフィンガ（１６４）を有し、前記フィンガ（１６４）は、前記ハウジング（１５０）を通って前記ハウジング内へ延在し、前記ハウジング内で前記端子を保持するために前記端子と係止位置にて係合するように形成されている、
電気コネクタアセンブリ（１００）。
【請求項２】
前記ヘッダ（１２０）および前記コンタクト（１４０）により、前記第１のプラグ（１１０）および対応するソケット（２１０）が、前記第２のプラグおよび前記第２のプラグ（１１２）の対応するソケット（３１０）と電気的かつ機械的に接続される、
請求項１の電気コネクタアセンブリ（１００）。
【請求項３】
前記コンタクト（１４０）は、前記ヘッダ（１２０）の前記本体（１３０）の内側に両方とも配置される第１および第２の嵌合接触面（３３０，３３２）を有し、前記第１の嵌合接触面は前記ソケット（２１０）と接触し、前記第２の嵌合接触面は前記第２のプラグの第２のソケット（３１０）と接触するように構成される、
請求項１の電気コネクタアセンブリ（１００）。
【請求項４】
前記ヘッダ（１２０）は、第１の端部（１２２）および第２の端部（１２４）を含み、前記第１の端部は、前記第１のレセプタクルに開放され、前記第１のプラグ（１１０）は、前記第１の端部から前記第１のレセプタクルに装着され、前記第２の端部は前記第２のレセプタクル（１３４）に開放され、前記第２のプラグ（１１２）は、前記第２の端部から前記第２のレセプタクルに装着される、
請求項１の電気コネクタアセンブリ（１００）。
【請求項５】
前記ヘッダ（１２０）は、前記本体（１３０）および第１のピン（１４２）によって画定された第１の嵌合接触面（１４６）と、前記本体および第２のピン（１４４）によって画定された第２の嵌合接触面（１４８）とを含み、前記第１および第２の嵌合接触面は同一である、
請求項１の電気コネクタアセンブリ（１００）。
【請求項６】
前記第１のプラグ（１１０）は、前記周囲シールは、前記第１のレセプタクル（１３２）内の前記第１のプラグを封止するために前記本体（１３０）と嵌合する、
請求項１の電気コネクタアセンブリ（１００）。
【請求項７】
前記ハウジング（１５０）は、内部ハウジング（１５２）および外部ハウジング（１５４）を備え、前記外部ハウジングは、前記内部ハウジングの少なくとも一部を包囲し、前記外部ハウジングは、前記ヘッダ（１２０）に取り外し可能に掛止される、
請求項６の電気コネクタアセンブリ（１００）。
【請求項８】
前記外部ハウジング（１５４）は、前記周囲シール（１７０）の後方に配置される、
請求項７の電気コネクタアセンブリ（１００）。
【請求項９】
前記本体（１３０）は、高さ（１９４）および幅（１９６）を有するヘッダ外被（１９８）を画定し、前記外部ハウジング（１５４）は、前記ヘッダ外被内に含有される、
請求項７の電気コネクタアセンブリ（１００）。
【請求項１０】
第２のプラグ（１１２）をさらに備え、前記第２のプラグは、対応するワイヤ（１０８）に接続される複数の第２の端子（２５６）を保持する内部ハウジング（２５２）を備え、前記第２の端子は、前記第２のレセプタクル（１３４）内で対応する第２のピン（１４４）と嵌合するように構成されるソケット（３１０）を有し、前記第２のプラグは、前記第２のプラグの前記内部ハウジングの嵌合端に結合される独立した二次ロック（２６０）および周囲シール（２７０）を備え、前記第２のプラグは、前記第２のプラグの前記内部ハウジングの少なくとも一部を包囲する外部ハウジング（２５４）を含み、前記外部ハウジングは、前記ヘッダ（１２０）に取り外し可能に掛止され、前記第２のプラグの前記内部ハウジングは、前記第１のプラグの前記内部ハウジングと同一であり、前記第２のプラグの前記外部ハウジングは、前記第２のプラグの周囲に延在するシュラウド（２５８）を含み、前記シュラウドは、前記ヘッダの前記本体（１３０）の外側に沿って延在し、前記第１のプラグの前記外部ハウジングは、シュラウドで覆われていない、
請求項１の電気コネクタアセンブリ（１００）。
【発明の詳細な説明】
【技術分野】
【０００１】
本明細書の主題は、一般に、電気コネクタアセンブリに関する。電気コネクタ技術において、第１のコネクタに取り付けられる例えばハーネス構成の複数のワイヤと、さらに他の相補的な第２のコネクタにおいて他のハーネスに取り付けられた他の複数のワイヤとを設けることは一般的である。第１のコネクタは、典型的に、ピン端子を含み、第２のコネクタは、典型的に、レセプタクル又はソケット端子を含む。特にコネクタが対象となる用途を考えるとき、かかる端子の設計および製造における多くの検討事項が考慮される必要がある。
【背景技術】
【０００２】
例えば、自動車の分野では、電気コネクタが複数のハーネス接続において必要であるとき、ピンおよびレセプタクルは、多くの悪条件に曝される。まず、エンジンや道路状況からの振動により、ピンとソケットの接続が悪化する場合がある。自動車を運転する必要がある厳しい天候条件のため、大抵の自動車のコネクタは封止もされており、水、塩水又はその他の異物がコネクタハウジングに侵入し、ピンとレセプタクルとの間の電気的接続を悪化させることを防止している。このように、封止の目的で、電気コネクタの後部を封止するシール部材又は平面状シールを通って容易に挿入可能である端子を有することが望ましい。
【発明の概要】
【発明が解決しようとする課題】
【０００３】
コネクタの全体的な大きさの増加や、端子の所望の密度の増加に連れて、端子は、ますます小型に製造されている。端子のロバスト性は、特に、脆くて組立および嵌合時に損傷し易いピンに関して問題となる。
【課題を解決するための手段】
【０００４】
上記課題に対する解決法は、本明細書に開示されるような２つのワイヤハーネスを電気的に接続するためのロバストな電気コネクタアセンブリによって提供される。当該電気コネクタアセンブリは、中間壁によって分離される第１のレセプタクルと第２のレセプタクルとを有する本体を備えるヘッダと、前記中間壁によって保持される複数のコンタクトとを含む。前記コンタクトは、前記第１のレセプタクル内に位置する第１のピンと前記第２のレセプタクル内に位置する第２のピンとを有する。第１のプラグが、前記第１のレセプタクルに受容される。前記第１のプラグは、前記第１のレセプタクル内で対応する第１のピンと嵌合するソケットを有する対応するワイヤに接続される複数の端子を保持するハウジングを含む。前記ソケットは、前記ヘッダによって保持される前記コンタクトによって前記第２のレセプタクルに受容される第２のプラグのソケットに電気的に接続されるように構成される。
【図面の簡単な説明】
【０００５】
本発明は、これから、添付の図面を参照して一例として説明される。
【０００６】
【図１】例示的実施形態に従って形成される電気コネクタアセンブリを示す。
【０００７】
【図２】ヘッダおよびその第１のプラグを示す電気コネクタアセンブリの一部の分解図である。
【０００８】
【図３】組立状態にあって、ヘッダに装着されることができる状態における第１のプラグを示す電気コネクタアセンブリの一部を示す。
【０００９】
【図４】ヘッダの断面図である。
【００１０】
【図５】ヘッダおよび第１のプラグを含むサブアセンブリを示す電気コネクタアセンブリの一部の断面図である。
【００１１】
【図６】例示的実施形態に従って形成された電気的コネクタアセンブリの第２のプラグの正面の斜視図である。
【００１２】
【図７】ヘッダと嵌合した第１および第２のプラグを示す電気コネクタアセンブリの断面図である。
【発明を実施するための形態】
【００１３】
図１は、例示的実施形態に従って形成される電気コネクタアセンブリ１００を示す。電気コネクタアセンブリ１００は、第１のワイヤハーネス１０２と第２のワイヤハーネス１０４を相互接続するために使用される。ワイヤハーネス１０２，１０４は、それぞれ、複数のワイヤ１０６，１０８を有する。第１の電気コネクタ１１０は、第１のワイヤハーネス１０２のワイヤ１０６の端部に接続される。第２の電気コネクタ１１２は、第２のワイヤハーネス１０４のワイヤ１０８の端部に接続される。
【００１４】
電気コネクタアセンブリ１００は、第１および第２の電気コネクタ１１０，１１２を機械的かつ電気的に相互接続するために使用されるヘッダ１２０を含む。第１の電気コネクタ１１０の一部は、ヘッダ１２０の第１の端部１２２に挿し込まれ、第２の電気コネクタ１１２の一部は、ヘッダ１２０の第２の端部１２４に挿し込まれる。第１の電気コネクタ１１０の一部がヘッダ１２０に挿し込まれるため、第１の電気コネクタ１１０は、以下では第１のプラグ１１０と呼ばれる場合がある。第２の電気コネクタ１１２の一部がヘッダ１２０に挿し込まれるため、第２の電気コネクタ１１２は、以下では第２のプラグ１１２と呼ばれる場合がある。電気コネクタアセンブリ１００の第１のプラグ１１０、ヘッダ１２０および第２のプラグ１１２は、第１のワイヤハーネス１０２と第２のワイヤハーネス１０４を電気的に接続するために使用される。
【００１５】
任意ではあるが、第１および第２のプラグ１１０，１１２の外形は、互いに異なっていてもよい（例えば、第２のプラグ１１２は、ヘッダ１２０の第２の端部１２４の外周に延在する）。任意ではあるが、第１および第２のプラグ１１０，１１２の内部部品の少なくとも一部は同一であり、電気コネクタアセンブリ１００を製造するのに必要な部品の総数を減少するために第１および第２のプラグ１１０，１１２の両方において使用されてもよい。第２のプラグ１１２よりも小さな第１のプラグ１１０を有することにより、電気コネクタアセンブリ１００は、より容易に組み立てられることができる。例えば、ヘッダ１２０と第１のプラグ１１０は、予め組み付けられ、電気コネクタアセンブリ１００が使用されるデバイス又は車両内の所定の位置に配索すなわち引き入れられてもよい。例えば、ヘッダ１２０のより小さい外形および第１のプラグ１１０により、ヘッダ１２０および第１のプラグ１１０は、第２のプラグ１１２がヘッダ１２０に結合される場合にはより困難又は不可能であろう開口を通って、又はそのような空間へ、引き入れられることができる。第２のプラグ１１２は、ヘッダ１２０および第１のプラグ１１０がデバイス又は車両内に配置された後にヘッダ１２０に嵌合されてもよい。
【００１６】
図２は、ヘッダ１２０および第１のプラグ１１０を示す電気コネクタアセンブリ１００の一部の分解図である。ヘッダ１２０は、第１および第２の端部１２２，１２４の間に延在する本体１３０を含む。本体１３０は、第１の端部１２２に第１のレセプタクル１３２（図３に示す）を、第２の端部１２４に第２のレセプタクル１３４を画定する。第１および第２のレセプタクル１３２，１３４は、中間壁１３６（図４に示す）によって分離されている。
【００１７】
ヘッダ１２０は、本体１３０の内側の中間壁１３６によって保持されるように構成された複数のコンタクト１４０を含む。コンタクト１４０は、コンタクト１４０の一端に第１のピン１４２を、コンタクト１４０の他端に第２のピン１４４を有する。第１のピン１４２は、第１のレセプタクル１３２内に保持されるように構成される。第２のピン１４４は、第２のレセプタクル１３４内に保持されるように構成される。コンタクト１４０は、第１のプラグ１１０を第２のプラグ１１２（図１に示す）と電気的に接続するために使用される。
【００１８】
第１のプラグ１１０はハウジング１５０を含む。例示的実施形態では、ハウジング１５０は、内部ハウジング１５２および外部ハウジング１５４によって画定されるツーピースハウジングである。外部ハウジング１５４は、ハウジング１５０を画定するために内部ハウジング１５２に結合されるように構成される。他の実施形態では、ハウジング１５０は、ワンピースハウジングでもよい。
【００１９】
ハウジング１５０は、複数の端子１５６（図５に示す）を保持するために使用され、複数の端子１５６は、第１のワイヤハーネス１０２（図１に示す）の対応するワイヤ１０６（図１に示す）に接続されるように構成される。例示的実施形態では、第１のプラグ１１０は、独立した二次ロック（ＩＳＬ）１６０を含む。ＩＳＬ１６０は、内部ハウジング１５２の嵌合端１６２にて内部ハウジング１５２に結合するように構成される。ＩＳＬ１６０は、内部ハウジング１５２内で端子１５６を係止するために使用される。例示的実施形態では、ＩＳＬ１６０は、ハウジング１５０内で端子１５６を係止するために使用されるフィンガ１６４を含む（図５を参照）。フィンガ１６４は、端子１５６が内部ハウジング１５２に完全に装着されることを保証する端子位置保証（ＴＰＡ）デバイスを画定してもよい。例えば、端子１５６が内部ハウジング１５２に完全には装着されない場合、フィンガ１６４は、閉鎖位置すなわち係止位置に移動することができなくてもよい。任意ではあるが、フィンガ１６４が閉鎖位置すなわち係止位置になければ、第１のプラグ１１０は、第１のレセプタクル１３２に装着されることができなくてもよい。従って、組み付け中に、１つ以上の端子１５６がフィンガ１６４を妨害することによりフィンガ１６４が開いているときなどに設置作業者が第１のプラグ１１０をヘッダ１２０に挿し込むことができない場合、設置作業者は、第１のプラグ１１０を組み付け直し、フィンガ１６４が端子１５６の後方で係止することができるように端子１５６を完全に装着することを保証する。
【００２０】
例示的実施形態では、第１のプラグ１１０は、内部ハウジング１５２の嵌合端１６２に結合されるように構成された周囲シール１７０を含む。周囲シール１７０は、内部ハウジング１５２の外周に延在する。周囲シール１７０は、第１のレセプタクル１３２内の第１のプラグ１１０を封止するために本体１３０に受容され、本体１３０の内面と係合する。
【００２１】
例示的実施形態では、第１のプラグ１１０は、内部ハウジング１５２の接続端１７４に結合されるように構成されたワイヤシール１７２を含む。接続端１７４は、内部ハウジング１５２の後部に設けられる。ワイヤシール１７２は、内部ハウジング１５２内に受容されてもよい。或いは、ワイヤシール１７２は、内部ハウジング１５２の後方に設けられてもよい。任意ではあるが、ワイヤシール１７２は、外部ハウジング１５４の内側に設けられてもよい。ワイヤシール１７２は、貫通する複数の開口１７６を含む。ワイヤ１０６（図１に示す）および対応する端子１５６（図５に示す）は、対応する開口１７６を通って装着される。ワイヤシール１７２は、内部ハウジング１５４の内側に水分又は異物が侵入することを防止するために、対応するワイヤ１０６に対して封止する。任意ではあるが、ワイヤシール１７２の外側は、内部ハウジング１５２への水分又は異物の侵入を防止するために、内部ハウジング１５２に対して封止してもよい。
【００２２】
図３は、組み付け状態にあって、ヘッダ１２０の第１のレセプタクル１３２に装着されることができる状態にある第１のプラグ１１０を示す電気コネクタアセンブリの一部を示す。組み付けられるとき、周囲シール１７０は、ハウジング１５０の嵌合端１６２に結合され、ＩＳＬ１６０は、ハウジング１５０の嵌合端１６２に結合される。外部ハウジング１５４は、内部ハウジング１５２の接続端１７４に結合される。例示的実施形態では、外部ハウジング１５４は、外部ハウジング１５４を内部ハウジング１５２に固定するために内部ハウジング１５２上の対応するタブと係合するラッチ１８０を含む。外部ハウジング１５４は、外部ハウジング１５４の後部１８４を貫通する開口１８２を含む。ワイヤ１０６は、対応する開口１８２を通って延在する。外部ハウジング１５４は、後部１８４にてワイヤシール１７２（図２に示す）を保持してもよい。
【００２３】
ヘッダ１２０は、第１の端部１２２から延出するラッチ１９０を含む。ラッチ１９０は、ヘッダ１２０内の第１のプラグ１１０を固定するために使用される。例えば、ラッチ１９０は、外部ハウジング１５４から延出する対応する爪１９２と係合する。ラッチ１９０は可撓性であり、ヘッダ１２０から第１のプラグ１１０を取り外すために解除されてもよい。
【００２４】
例示的実施形態では、第１のプラグ１１０の外形は、ヘッダ１２０の外形と類似しており、第１のプラグ１１０が、電気コネクタアセンブリ１００の全体的な大きさにあまり悪影響を及ぼさないようにしている。例えば、第１の端部１２２では、ヘッダ１２０は、ヘッダ外被１９８を画定する高さ１９４および幅１９６を有する。第１のプラグ１１０の高さおよび幅は、ヘッダ１２０の高さ１９４および幅１９６とほぼ同様であってもよい。任意ではあるが、第１のプラグ１１０は、ヘッダ外被１９８内に含有されてもよい。例えば、第１のプラグ１１０は、高さ１９４以下の高さと、幅１９６以下の幅を有する。従って、第１のプラグ１１０がヘッダ１２０に結合されるとき、第１のプラグ１１０とヘッダ１２０のサブアセンブリは、ヘッダ外被１９８を収容可能な大きさの開口を通って、又はそのような大きさの空間に配索されてもよい（ヘッダ外被１９８は、ヘッダ１２０のラッチ１９０を収容可能でもよい）。
【００２５】
図４は、ヘッダ１２０の断面図である。図４は、ヘッダ１２０の中間壁１３６によって保持されるコンタクト１４０を示す。中間壁１３６は、貫通するチャネル２００を含む。コンタクト１４０は、チャネル２００に装着される。コンタクト１４０は、コンタクト１４０から延出する返しを含み、これらの返しは、チャネル２００内でコンタクト１４０を固定するために中間壁１３６に食い込む。第１のピン１４２は、中間壁１３６から第１のレセプタクル１３２に延出する。第２のピン１４４は、中間壁１３６から第２のレセプタクル１３４に延出する。第１のピン１４２は、第１のプラグ１１０（図１に示す）と嵌合することができる状態にある。第２のピン１４４は、第２のプラグ１１２（図１に示す）と嵌合することができる状態にある。
【００２６】
ヘッダ１２０は、本体１３０と第１のピン１４２によって画定される第１の嵌合境界面１４６と、本体１３０と第２のピン１４４によって画定される第２の嵌合境界面１４８とを含む。嵌合境界面１４６，１４８は、レセプタクル１３２，１３４内のピン１４２，１４４の位置だけでなく、レセプタクル１３２，１３４の大きさおよび形状によって画定される。嵌合境界面１４６，１４８は、本体１３０の大きさおよび形状と、レセプタクル１３２，１３４内でプラグ１１０，１１２と相互作用し且つ／又はプラグ１１０，１１２を固定するために使用される機能部によって画定される。任意ではあるが、第１および第２の嵌合境界面１４６，１４８は同一でもよい。
【００２７】
コンタクト１４０は、ヘッダ１２０の第１の端部１２２に結合される第１のプラグ１１０を、ヘッダ１２０の第２の端部１２４に結合される第２のプラグ１１２と電気的に接続するために使用される。ダブルピンコンタクト１４０により、第１の電気コネクタ１１０又は第２の電気コネクタ１１２のいずれかがピンを含む必要がなくなる。二重のピンコンタクト１４０により、第１および第２のプラグ１１０，１１２は、両方ともソケット型の端子を含むことができる。従って、第１のプラグ１１０と第２のプラグ１１２の両方は雌プラグでもよい。
【００２８】
図５は、ヘッダ１２０と第１のプラグ１１０とを含むサブアセンブリを示す電気コネクタアセンブリ１００の一部の断面図である。図５は、内部ハウジング１５２内に保持された第１のプラグ１１０の端子１５６を示す。端子１５６は、対応するワイヤ１０６の端部に接続される。例えば、端子１５６は、対応するワイヤ１０６に圧着されてもよい。端子１５６は、かかる端子１５６の嵌合端にソケット２１０を含む。ソケット２１０は、対応するコンタクト１４０の対応する第１のピン１４２を受容する。任意ではあるが、端子１５６は、対応する第１のピン１４２に電気的に接続するためにソケット２１０に延出する可撓性の梁２１２を備えるソケット２１０を画定する箱形の端子でもよい。例示的実施形態では、端子１５６の先端２１４は、内部ハウジング１５２の前方かつＩＳＬ１６０の対応するポケット２１６内に延出する。内部ハウジング１５２の前部におけるアーム２１８が、ハウジング１５０に対して端子１５６を保持するために端子１５６の先端２１４と係合する。ＩＳＬ１６０のフィンガ１６４は、内部ハウジング１５２を通って延在し、ハウジング１５０内に端子を係止するために端子１５６の一部の後方に配置される。アーム２１８は、端子１５６の一次ロックを画定し、フィンガ１６４は、端子１５６の二次ロックを画定する。
【００２９】
第１のプラグ１１０がヘッダ１２０に装着されるとき、周囲シール１７０は、本体１３０の内面２２０と係合する。周囲シール１７０は、第１のレセプタクル１３２内の第１のプラグ１１０を封止する。周囲シール１７０は、水分および異物が第１のレセプタクル１３２に侵入することを防止する。
【００３０】
第１のプラグ１１０がヘッダ１２０に挿し込まれるとき、ラッチ１９０は、第１のレセプタクル１３２内の第１のプラグ１１０を固定するために爪１９２と係合する。第１のプラグ１１０は、ラッチ１９０によって第１のレセプタクル１３２から外れることが防止される。ラッチ１９０は、第１のプラグ１１０が第１のレセプタクル１３２から取り外されることができるように外方に撓められてもよい。
【００３１】
図６は、例示的実施形態に従って形成された第２のプラグ１１２の正面の斜視図である。第２のプラグ１１２は、ハウジング２５０を含む。例示的実施形態では、ハウジング２５０は、内部ハウジング２５２および外部ハウジング２５４によって画定されるツーピースハウジングである。例示的実施形態では、内部ハウジング２５２は、内部ハウジング１５２（図２に示す）と同一であるが、外部ハウジング２５４は、外部ハウジング１５４（図２に示す）とは異なる。例えば、外部ハウジング２５４は、第２のプラグ１１２の部品を保護するため、およびヘッダ１２０（図２に示す）の端部の周囲に嵌合するために被覆されているが、外部ハウジング１５４は、ヘッダ１２０内で嵌合するために被覆されていない。外部ハウジング２５４は、ハウジング２５０を画定するために内部ハウジング２５２に結合されるように構成される。別の実施形態では、ハウジング２５０は、ワンピースハウジングでもよい。
【００３２】
ハウジング２５０は、複数の端子２５６（図７に示す）を保持するために使用され、複数の端子２５６は、第２のワイヤハーネス１０４（図１に示す）の対応するワイヤ１０８（図１に示す）に接続されるように構成される。例示的実施形態では、第２のプラグ１１２は、独立した二次ロック（ＩＳＬ）２６０を含む。任意ではあるが、ＩＳＬ２６０は、ＩＳＬ１６０（図２に示す）と同一である。ＩＳＬ２６０は、内部ハウジング２５２の嵌合端にて内部ハウジング２５２に結合されるように構成される。ＩＳＬ２６０は、内部ハウジング２５２内に端子２５６を係止するために使用される。例示的実施形態では、ＩＳＬ２６０は、ハウジング２５０内に端子２５６を係止するために使用されるフィンガ２６４を含む。フィンガ２６４は、端子２５６が内部ハウジング２５２に完全に装着されることを保証する端子位置保証（ＴＰＡ）デバイスを画定してもよい。例えば、端子２５６が内部ハウジング２５２に完全には装着されていない場合、フィンガ２６４は、閉鎖位置すなわち係止位置に移動することができなくてもよい。任意ではあるが、フィンガ２６４が閉鎖位置すなわち係止位置にない場合、第２のプラグ１１２は、ヘッダ１２０に装着されることができなくてもよい。
【００３３】
例示的実施形態では、第２のプラグ１１２は、内部ハウジング２５２の嵌合端に結合されるように構成される周囲シール２７０を含む。任意ではあるが、周囲シール２７０は、周囲シール１７０（図２に示す）と同一である。周囲シール２７０は、内部ハウジング２５２の外周に延在する。外部ハウジング２５４は、例えば、出荷、取り扱い、組立等の時に周囲シール２７０を損傷から保護するために、周囲シール２７０を包囲して保護する。例えば、外部ハウジング２５４は、被覆されており、内部ハウジング２５２および周囲シール２７０の周囲に延在するシュラウド２５８を含む。外部ハウジング２５４のシュラウド２５８は、周囲シール２７０を保護する。周囲シール２７０は、ヘッダ１２０内の第２のプラグ１１２を封止するためにヘッダ１２０と係合するように構成される。
【００３４】
例示的実施形態では、第２のプラグ１１２は、内部ハウジング２５２の接続端に結合されるように構成されるワイヤシール２７２（図７に示す）を含む。任意ではあるが、ワイヤシール２７２は、ワイヤシール１７２（図２に示す）と同一である。ワイヤシール２７２は、内部ハウジング２５２内に受容されてもよい。或いは、ワイヤシール２７２は、内部ハウジング２５４の後方に設けられてもよい。任意ではあるが、ワイヤシール２７２は外部ハウジングの内側に設けられてもよい。ワイヤ１０８（図１に示す）および対応する端子２５６（図７に示す）は、ワイヤシール２７２を通って装着される。ワイヤシール２７２は、水分又は異物が内部ハウジング２５４に侵入することを防止するために対応するワイヤ１０８に対して封止する。任意ではあるが、ワイヤシール２７２の外側は、内部ハウジング２５２への水分又は異物の侵入を防止するために内部ハウジング２５２を封止してもよい。
【００３５】
図７は、ヘッダ１２０と嵌合する第１および第２のプラグ１１０，１１２を示す電気コネクタアセンブリ１００の断面図である。図７は、内部ハウジング２５２内に保持される第２のプラグ１１２の端子２５６を示す。端子２５６は、対応するワイヤ１０８の端部に接続される。例えば、端子２５６は、対応するワイヤ１０８に圧着されてもよい。端子２５６は、かかる端子２５６の嵌合端にてソケット３１０を含む。ソケット３１０は、対応するコンタクト１４０の対応する第２のピン１４４を受容する。任意ではあるが、端子２５６は、対応する第２のピン１４４に電気的に接続するためにソケット３１０に延出する可撓性の梁３１２を備えるソケット３１０を画定する箱形の端子でもよい。例示的実施形態では、端子２５６の先端３１４は、内部ハウジング２５２の前方かつＩＳＬ２６０の対応するポケット３１６内に延出する。内部ハウジング２５２の前部におけるアーム３１８が、ハウジング２５０に対して端子２５６を保持するために端子２５６の先端３１４と係合する。ＩＳＬ２６０のフィンガ２６４は、内部ハウジング２５２を通って延在し、ハウジング２５０内の端子を係止するために端子２５６の一部の後方に配置される。アーム３１８は、端子２５６の一次ロックを画定し、フィンガ２６４は、端子２５６の二次ロックを画定する。
【００３６】
第２のプラグ１１２がヘッダ１２０に差し込まれるとき、外部ハウジング２５４のシュラウド２５８は、ヘッダ１２０の第２の端部１２４を受容する。ヘッダ１２０の一部は、外部ハウジング２５４と内部ハウジング２５２との間に画定される空間の間で外部ハウジング２５４に装着される。周囲シール２７０は、本体１３０の内面２２０と係合する。周囲シール２７０は、第２のレセプタクル１３４内の第２のプラグ１１２を封止する。周囲シール２７０は、水分や異物が第２のレセプタクル１３４に侵入することを防止する。ヘッダ１２０のラッチ３２０は、第２のレセプタクル１３４内の第２のプラグ１１２を固定するために外部ハウジング２５４と係合する。第２のプラグ１１２は、ラッチ３２０によって第２のレセプタクル１３４から外れることが防止される。
【００３７】
電気コネクタアセンブリ１００が組み立てられると、ワイヤハーネス１０２，１０４の間には封止接続がもたらされる。ワイヤ１０６，１０８は、電気コネクタアセンブリ１００の両端から延出する。端子１５６，２５６の間には、両頭コンタクト１４０によって電路が画定される。コンタクト１４０は、第１および第２の嵌合境界面３３０，３３２を有し、第１および第２の嵌合境界面３３０，３３２は、それぞれ、第１および第２のプラグ１１０，１１２のソケット２１０，３１０と嵌合するためにヘッダ１２０の本体１３０の内側に両方とも配置される。嵌合境界面３３０，３３２は、プラグ１１０，１１２がヘッダ１２０から取り外されてもよいように分離可能である。
【００３８】
例示的実施形態では、第１のプラグ１１０の部品の一部は、第２のプラグ１１２の対応する部品と同一でもよい。例えば、両プラグ１１０，１１２は、同一の内部ハウジング１５２，２５２、同一の端子１５６，２５６、同一のＩＳＬ１６０，２６０、同一の周囲シール１７０，２７０、および／又は同一のワイヤシール１７２，２７２を含んでもよい。両プラグ１１０，１１２は、例えば、プラグ１１０，１１２の外周を変えるため、および／又はプラグ１１０，１１２の特定の部品を保護するために、異なる外部ハウジング１５４，２５４を有してもよい。例えば、より小さな外部ハウジング１５４によって、電気コネクタアセンブリの一端は、かかる一端を狭い空間におよび／又は小さな開口を通して配置するために小さな外形すなわち低背を維持することができる。例えば、より大きな外部ハウジング２５４は、周囲シール２７０の周りにシュラウドを設けることによって周囲シール２７０を損傷から保護する。
【００３９】
上記説明は一例であって、制限的なものではないことは理解されるべきである。例えば、上述の実施形態（および／又はその態様）は、互いに組み合わされて使用されてもよい。さらに、本発明の範囲から逸脱することなく特定の状況又は材料を本発明の教示に適応させるために多くの修正がなされてもよい。材料の寸法、種類、様々な部品の向き、および本書に記載された様々な部品の個数および位置は、特手の実施形態のパラメータを定めることを意図し、決して制限するものではなく、例示的実施形態に過ぎない。本特許請求項の精神および範囲内の様々な実施形態および修正は、上記説明を再考察したときに当業者に明らかになるであろう。本発明の範囲は、従って、添付の請求項を、その請求項に認められる均等物の全範囲とともに参照することによって決定されなければならない。
【図１】
0006513696.tif 000002
【図２】
0006513696.tif 000003
【図３】
0006513696.tif 000004
【図４】
0006513696.tif 000005
【図５】
0006513696.tif 000006
【図６】
0006513696.tif 000007
【図７】
0006513696.tif 000008